(57)【要約】【課題】簡単な制御で長寿命化が可能である三相昇圧整流ユニットを提供することにある。【解決手段】三相昇圧整流ユニット１Ａは、整流回路１０と、正極側主ダイオードＤａと、負極側主ダイオードＤｂと、正極側スイッチング素子１１ａと、負極側スイッチング素子１１ｂと、を有し、中間電圧を出力可能な昇圧回路１１と、正極側コンデンサＣａと、負極側コンデンサＣｂと、を備える。三相昇圧整流ユニット１Ａは、第一スイッチング制御信号を正極側スイッチング素子１１ａに送り、第二スイッチング制御信号を負極側スイッチング素子１１ｂに送る第一モードと、第二スイッチング制御信号を正極側スイッチング素子１１ａに送り、第一スイッチング制御信号を負極側スイッチング素子１１ｂに送る第二モードと、を交互に切り替える昇圧回路制御部１２をさらに備える。【選択図】図１
2019122088.tif 000002
【特許請求の範囲】
【請求項１】
三相交流電源から供給される三相の交流電圧を整流して、整流電圧を正極出力線と負極出力線との間に出力する整流回路と、
前記正極出力線にアノードが接続された正極側主ダイオードと、前記負極出力線にカソードが接続された負極側主ダイオードと、接続点と前記正極出力線との間に接続された正極側スイッチング素子と、前記接続点と前記負極出力線との間に接続された負極側スイッチング素子と、を有し、追加電圧を前記三相の交流電圧の振幅の１倍相当の直流電圧である一倍圧直流電圧に加えた中間電圧を出力可能な昇圧回路と、
前記正極側主ダイオードのカソードと前記接続点との間に接続された正極側コンデンサと、
前記接続点と前記負極側主ダイオードのアノードとの間に接続された負極側コンデンサと、
前記追加電圧を前記負極側コンデンサに充電可能な第一スイッチング制御信号を前記正極側スイッチング素子に送り、前記一倍圧直流電圧を前記正極側コンデンサに充電可能な第二スイッチング制御信号を前記負極側スイッチング素子に送る第一モードと、前記第二スイッチング制御信号を前記正極側スイッチング素子に送り、前記第一スイッチング制御信号を前記負極側スイッチング素子に送る第二モードと、を交互に切り替える昇圧回路制御部と、
を備える三相昇圧整流ユニット。
【請求項２】
前記昇圧回路制御部が、前記第一モードと前記第二モードとを起動する度に切り替える請求項１に記載の三相昇圧整流ユニット。
【請求項３】
前記昇圧回路制御部が、前記第一スイッチング制御信号を前記正極側スイッチング素子に送るか、前記負極側スイッチング素子に送るかを切り替えると共に、前記第二スイッチング制御信号を前記負極側スイッチング素子に送るか、前記正極側スイッチング素子に送るかを切り替える切替部をさらに備える請求項１又は請求項２に記載の三相昇圧整流ユニット。
【請求項４】
請求項１から請求項３のいずれか一項に記載の三相昇圧整流ユニットと、
前記三相昇圧整流ユニットから出力される直流電圧を、負荷を所望に駆動させるための負荷駆動用交流電圧に変換するインバータ回路と、
を備えるインバータ装置。
【請求項５】
請求項４に記載のインバータ装置と、
前記負荷として、前記インバータ回路から出力される負荷駆動用交流電圧に基づいて回転駆動するモータと、
を備える空気調和機。
【請求項６】
三相交流電源から供給される三相の交流電圧を整流して、整流電圧を正極出力線と負極出力線との間に出力する整流回路と、前記正極出力線にアノードが接続された正極側主ダイオードと、前記負極出力線にカソードが接続された負極側主ダイオードと、接続点と前記正極出力線との間に接続された正極側スイッチング素子と、前記接続点と前記負極出力線との間に接続された負極側スイッチング素子と、を有し、追加電圧を前記三相の交流電圧の振幅の１倍相当の直流電圧である一倍圧直流電圧に加えた中間電圧を出力可能な昇圧回路と、前記正極側主ダイオードのカソードと前記接続点との間に接続された正極側コンデンサと、前記接続点と前記負極側主ダイオードのアノードとの間に接続された負極側コンデンサと、を備える三相昇圧整流ユニットの制御方法であって、
前記追加電圧を前記負極側コンデンサに充電可能な第一スイッチング制御信号を前記正極側スイッチング素子に送り、前記一倍圧直流電圧を前記正極側コンデンサに充電可能な第二スイッチング制御信号を前記負極側スイッチング素子に送る第一モードを実施するステップと、
前記第二スイッチング制御信号を前記正極側スイッチング素子に送り、前記第一スイッチング制御信号を前記負極側スイッチング素子に送る第二モードを実施するステップと、
を交互に実施する三相昇圧整流ユニットの制御方法。
【請求項７】
三相交流電源から供給される三相の交流電圧を整流して、整流電圧を正極出力線と負極出力線との間に出力する整流回路と、前記正極出力線にアノードが接続された正極側主ダイオードと、前記負極出力線にカソードが接続された負極側主ダイオードと、接続点と前記正極出力線との間に接続された正極側スイッチング素子と、前記接続点と前記負極出力線との間に接続された負極側スイッチング素子と、を有し、追加電圧を前記三相の交流電圧の振幅の１倍相当の直流電圧である一倍圧直流電圧に加えた中間電圧を出力可能な昇圧回路と、前記正極側主ダイオードのカソードと前記接続点との間に接続された正極側コンデンサと、前記接続点と前記負極側主ダイオードのアノードとの間に接続された負極側コンデンサと、を備える三相昇圧整流ユニットのコンピュータを、
前記追加電圧を前記負極側コンデンサに充電可能な第一スイッチング制御信号を前記正極側スイッチング素子に送り、前記一倍圧直流電圧を前記正極側コンデンサに充電可能な第二スイッチング制御信号を前記負極側スイッチング素子に送る第一モードと、前記第二スイッチング制御信号を前記正極側スイッチング素子に送り、前記第一スイッチング制御信号を前記負極側スイッチング素子に送る第二モードと、を交互に切り替える昇圧回路制御部として機能させるプログラム。
【発明の詳細な説明】
【技術分野】
【０００１】
本発明は、三相昇圧整流ユニット、インバータ装置、空気調和機、三相昇圧整流ユニットの制御方法及びプログラムに関する。
【背景技術】
【０００２】
空気調和機（空調機）には、主として、圧縮機のモータを自在に駆動するための負荷（モータ）駆動用交流電力を生成するインバータ装置が搭載されている。良く知られているインバータ装置は、商用電源（例えば、ＡＣ２００Ｖ三相交流電源）から入力された三相の交流電圧を、一旦、整流回路（コンバータ）を通じて直流電圧に変換し、当該直流電力を所望するモータ駆動用交流電力に変換する。
【０００３】
例えば、特許文献１には、昇圧モードで動作可能な昇圧回路を有する空気調和機の三相電力変換装置が開示されている。
【先行技術文献】
【特許文献】
【０００４】
【特許文献１】再公表ＷＯ２０１５／０３３４３７号公報
【発明の概要】
【発明が解決しようとする課題】
【０００５】
特許文献１に開示されている三相電力変換装置は、長寿命化を図るため、２つのコンデンサの電圧アンバランスを抑制するようにスイッチング素子を制御している。
しかし、特許文献１に開示されている三相電力変換装置は、２つのコンデンサの各出力電圧を検出することによって制御しているため、制御が複雑になる。
【０００６】
本発明の目的は、簡単な制御で三相昇圧整流ユニットの長寿命化が可能である三相昇圧整流ユニット、インバータ装置、空気調和機、三相昇圧整流ユニットの制御方法及びプログラムを提供することにある。
【課題を解決するための手段】
【０００７】
第１の態様の三相昇圧整流ユニットは、三相交流電源から供給される三相の交流電圧を整流して、整流電圧を正極出力線と負極出力線との間に出力する整流回路と、前記正極出力線にアノードが接続された正極側主ダイオードと、前記負極出力線にカソードが接続された負極側主ダイオードと、接続点と前記正極出力線との間に接続された正極側スイッチング素子と、前記接続点と前記負極出力線との間に接続された負極側スイッチング素子と、を有し、追加電圧を前記三相の交流電圧の振幅の１倍相当の直流電圧である一倍圧直流電圧に加えた中間電圧を出力可能な昇圧回路と、前記正極側主ダイオードのカソードと前記接続点との間に接続された正極側コンデンサと、前記接続点と前記負極側主ダイオードのアノードとの間に接続された負極側コンデンサと、前記追加電圧を前記負極側コンデンサに充電可能な第一スイッチング制御信号を前記正極側スイッチング素子に送り、前記一倍圧直流電圧を前記正極側コンデンサに充電可能な第二スイッチング制御信号を前記負極側スイッチング素子に送る第一モードと、前記第二スイッチング制御信号を前記正極側スイッチング素子に送り、前記第一スイッチング制御信号を前記負極側スイッチング素子に送る第二モードと、を交互に切り替える昇圧回路制御部と、を備える。
【０００８】
また、第２の態様の三相昇圧整流ユニットは、前記昇圧回路制御部が、前記第一モードと前記第二モードとを起動する度に切り替える第１の態様の三相昇圧整流ユニットである。
【０００９】
また、第３の態様の三相昇圧整流ユニットは、前記昇圧回路制御部が、前記第一スイッチング制御信号を前記正極側スイッチング素子に送るか、前記負極側スイッチング素子に送るかを切り替えると共に、前記第二スイッチング制御信号を前記負極側スイッチング素子に送るか、前記正極側スイッチング素子に送るかを切り替える切替部をさらに備える第１又は第２の態様の三相昇圧整流ユニットである。
【００１０】
また、第４の態様のインバータ装置は、第１から第３の何れかの態様の三相昇圧整流ユニットと、前記三相昇圧整流ユニットから出力される直流電圧を、負荷を所望に駆動させるための負荷駆動用交流電圧に変換するインバータ回路と、を備える。
【００１１】
また、第５の態様の空気調和機は、第４の態様に記載のインバータ装置と、前記負荷として、前記インバータ回路から出力される負荷駆動用交流電圧に基づいて回転駆動するモータと、を備える。
【００１２】
また、第６の態様の三相昇圧整流ユニットの制御方法は、三相交流電源から供給される三相の交流電圧を整流して、整流電圧を正極出力線と負極出力線との間に出力する整流回路と、前記正極出力線にアノードが接続された正極側主ダイオードと、前記負極出力線にカソードが接続された負極側主ダイオードと、接続点と前記正極出力線との間に接続された正極側スイッチング素子と、前記接続点と前記負極出力線との間に接続された負極側スイッチング素子と、を有し、追加電圧を前記三相の交流電圧の振幅の１倍相当の直流電圧である一倍圧直流電圧に加えた中間電圧を出力可能な昇圧回路と、前記正極側主ダイオードのカソードと前記接続点との間に接続された正極側コンデンサと、前記接続点と前記負極側主ダイオードのアノードとの間に接続された負極側コンデンサと、を備える三相昇圧整流ユニットの制御方法であって、前記追加電圧を前記負極側コンデンサに充電可能な第一スイッチング制御信号を前記正極側スイッチング素子に送り、前記一倍圧直流電圧を前記正極側コンデンサに充電可能な第二スイッチング制御信号を前記負極側スイッチング素子に送る第一モードを実施するステップと、前記第二スイッチング制御信号を前記正極側スイッチング素子に送り、前記第一スイッチング制御信号を前記負極側スイッチング素子に送る第二モードを実施するステップと、を交互に実施する。
【００１３】
また、第７の態様のプログラムは、三相交流電源から供給される三相の交流電圧を整流して、整流電圧を正極出力線と負極出力線との間に出力する整流回路と、前記正極出力線にアノードが接続された正極側主ダイオードと、前記負極出力線にカソードが接続された負極側主ダイオードと、接続点と前記正極出力線との間に接続された正極側スイッチング素子と、追加電圧を前記接続点と前記負極出力線との間に接続された負極側スイッチング素子と、を有し、前記三相の交流電圧の振幅の１倍相当の直流電圧である一倍圧直流電圧に加えた中間電圧を出力可能な昇圧回路と、前記正極側主ダイオードのカソードと前記接続点との間に接続された正極側コンデンサと、前記接続点と前記負極側主ダイオードのアノードとの間に接続された負極側コンデンサと、を備える三相昇圧整流ユニットのコンピュータを、前記追加電圧を前記負極側コンデンサに充電可能な第一スイッチング制御信号を前記正極側スイッチング素子に送り、前記一倍圧直流電圧を前記正極側コンデンサに充電可能な第二スイッチング制御信号を前記負極側スイッチング素子に送る第一モードと、前記第二スイッチング制御信号を前記正極側スイッチング素子に送り、前記第一スイッチング制御信号を前記負極側スイッチング素子に送る第二モードと、を交互に切り替える昇圧回路制御部として機能させる。
【発明の効果】
【００１４】
本発明の一態様によれば、簡単な制御で三相昇圧整流ユニットの長寿命化が可能である。
【図面の簡単な説明】
【００１５】
【図１】実施形態に係るインバータ装置の回路構成を示す図である。
【図２】実施形態に係る昇圧回路制御部の機能構成（第一モード）を示す図である。
【図３】実施形態に係る昇圧回路制御部の機能構成（第二モード）を示す図である。
【図４】実施形態に係る昇圧回路制御部が出力する各スイッチング制御信号の関係を示す図である。
【図５】実施形態に係る昇圧回路の第一モード時の動作を示す図である。
【図６】実施形態に係る昇圧回路の第二モード時の動作を示す図である。
【図７】実施形態の三相昇圧整流ユニットの制御方法のフローチャートである。
【発明を実施するための形態】
【００１６】
＜実施形態＞
以下、本発明に係る実施形態の三相昇圧整流ユニット、及び、当該三相昇圧整流ユニットを備えるインバータ装置について、図１〜図６を参照しながら詳細に説明する。
【００１７】
（インバータ装置の回路構成）
インバータ装置１は、空気調和機（空調機）９０の室外機に搭載される。インバータ装置１は、上記室外機の圧縮機を駆動するための三相交流モータ（モータ４）に対し、別途入力された回転数指令に応じた負荷駆動用交流電圧（三相交流電圧）を出力する。インバータ装置１は、この負荷駆動用交流電圧に基づいて、負荷である三相交流モータ（モータ４）を所望の回転数で回転駆動させる。
なお、インバータ装置１は、商用電源である三相交流電源３から供給される三相交流電圧を、上記負荷駆動用交流電圧に変換して出力する。ここで、三相交流電源３は、例えば、ＡＣ２００Ｖ（実効値２００Ｖ）で周波数が５０Ｈｚ（若しくは６０Ｈｚ）の交流電圧であって、位相が互いに１２０°異なるＲ相、Ｓ相、Ｔ相からなる三相の交流電圧を出力する。以下、三相交流電源３が出力する各相の交流電圧を、それぞれ、「Ｒ相交流電圧」、「Ｓ相交流電圧」、「Ｔ相交流電圧」とも記載する。
【００１８】
図１に示すように、インバータ装置１は、三相昇圧整流ユニット１Ａと、インバータ回路２０と、インバータ回路制御部２１と、を備える。
【００１９】
三相昇圧整流ユニット１Ａは、三相交流電源３から供給される三相の交流電圧を整流して、「直流電圧Ｖｄｃ」を出力する。三相昇圧整流ユニット１Ａの出力電圧である直流電圧Ｖｄｃは、図１に示す正極側出力端子Ｑａと負極側出力端子Ｑｂとの間に出力される。
本実施形態に係る三相昇圧整流ユニット１Ａは、入力される三相の交流電圧の最大値より大きい電圧を出力する昇圧整流回路としての機能を有する。
【００２０】
インバータ回路２０は、三相昇圧整流ユニット１Ａから出力された直流電圧Ｖｄｃを、モータ４を回転駆動させるための負荷駆動用交流電圧に変換する。インバータ回路２０は、正極側出力端子Ｑａと負極側出力端子Ｑｂとの間に直列に接続された２つのスイッチング素子の対を３対有する。ここで、スイッチング素子とは、例えば、絶縁ゲートバイポーラトランジスタ（Ｉｎｓｕｌａｔｅｄ  Ｇａｔｅ  Ｂｉｐｏｌａｒ  Ｔｒａｎｓｉｓｔｏｒ：ＩＧＢＴ）等のパワートランジスタである。上記直列接続されたスイッチング素子の各対は、三相交流モータ（モータ４）を回転駆動させるための３つの相のそれぞれに対応して設けられる。
インバータ回路２０は、モータ電流検出部２２をさらに備える。
モータ電流検出部２２は、三相昇圧整流ユニット１Ａへ戻る電流（モータ電流）を検出する。モータ電流検出部２２は、検出したモータ電流の検出結果を、検出信号として、インバータ回路制御部２１へ出力する。
【００２１】
インバータ回路制御部２１は、インバータ回路２０を構成する各スイッチング素子のオン／オフを制御する制御用ＩＣ（いわゆるマイコン等）である。
インバータ回路制御部２１には、上位装置から回転数指令が入力される。インバータ回路制御部２１は、モータ電流検出部２２からモータ電流の検出信号を受け付ける。
インバータ回路制御部２１は、上記モータ電流を監視しながら、モータ４の回転数が、当該回転数指令に示される回転数となるようにインバータ回路２０を駆動させる。ここで、インバータ回路制御部２１は、一般に良く知られているＰＷＭ（Ｐｕｌｓｅ  Ｗｉｄｔｈ  Ｍｏｄｕｌａｔｉｏｎ）制御に基づいてインバータ回路２０を制御する。
【００２２】
（三相昇圧整流ユニットの構成）
図１に示すように、三相昇圧整流ユニット１Ａは、整流回路１０と、昇圧回路１１と、昇圧回路制御部１２と、を備える。三相昇圧整流ユニット１Ａは、リアクタＬと、２つのコンデンサ（正極側コンデンサＣａ及び負極側コンデンサＣｂ）と、をさらに備える。
【００２３】
整流回路１０は、三相交流電源３から供給される三相の交流電圧を整流し、整流電圧Ｖａｃとして出力する。
昇圧回路１１は、昇圧回路制御部１２の制御によって、三相交流電源３から入力される三相の交流電圧の最大値より大きい電圧を、直流電圧Ｖｄｃとして出力することができる。
整流回路１０及び昇圧回路１１は、互いに正極側同士がリアクタＬを介して正極出力線αで接続されている。整流回路１０及び昇圧回路１１は、互いに負極側同士が負極出力線βでさらに接続されている。
【００２４】
リアクタＬは、正極出力線αに流れる電流を平滑化する。
以下の説明において、正極出力線αは、リアクタＬを介して、第一正極出力線α１と、第二正極出力線α２とが直列接続された線である。
したがって、整流回路１０は、整流電圧Ｖａｃを、第一正極出力線α１と負極出力線βとの間に出力する。
【００２５】
昇圧回路１１は、正極側主ダイオードＤａと、負極側主ダイオードＤｂと、正極側スイッチング素子１１ａと、負極側スイッチング素子１１ｂと、を備える。
【００２６】
２つのコンデンサ（正極側コンデンサＣａ及び負極側コンデンサＣｂ）は、昇圧回路１１の出力の間において直列に接続されている。
具体的には、正極側コンデンサＣａは、正極側主ダイオードＤａのカソードと接続点Ｎとの間に接続されている。負極側コンデンサＣｂは、負極側主ダイオードＤｂのアノードと接続点Ｎとの間に接続されている。
なお、本実施形態では、説明を簡単にするため、正極側コンデンサＣａ及び負極側コンデンサＣｂは同じ容量値としているが、異なる容量値であってもよい。
【００２７】
（整流回路）
整流回路１０について詳しく説明する。
整流回路１０は、三相交流電源３から供給される三相の交流電圧（Ｒ相交流電圧、Ｓ相交流電圧及びＴ相交流電圧）を、各相に対応する３つの入力端子（Ｒ相入力端子ＱＲ、Ｓ相入力端子ＱＳ及びＴ相入力端子ＱＴ）の各々から入力して整流する。
【００２８】
Ｒ相交流電圧、Ｓ相交流電圧及びＴ相交流電圧の各々は、互いに１２０°の位相でずれながらそれぞれ周期Ｔｃで振動している。
整流回路１０は、６つの整流ダイオード（正極側Ｒ相整流ダイオード１０Ｒａ、負極側Ｒ相整流ダイオード１０Ｒｂ、正極側Ｓ相整流ダイオード１０Ｓａ、負極側Ｓ相整流ダイオード１０Ｓｂ、正極側Ｔ相整流ダイオード１０Ｔａ及び負極側Ｔ相整流ダイオード１０Ｔｂ）で構成される。
【００２９】
整流回路１０の正極側Ｒ相整流ダイオード１０Ｒａ及び負極側Ｒ相整流ダイオード１０Ｒｂは、三相交流電源３からＲ相入力端子ＱＲを通じて入力されたＲ相交流電圧を整流する。具体的には、正極側Ｒ相整流ダイオード１０Ｒａは、Ｒ相入力端子ＱＲから第一正極出力線α１にかけて順方向接続されている。また、負極側Ｒ相整流ダイオード１０Ｒｂは、負極出力線βからＲ相入力端子ＱＲにかけて順方向接続されている。
【００３０】
整流回路１０の正極側Ｓ相整流ダイオード１０Ｓａ及び負極側Ｓ相整流ダイオード１０Ｓｂは、三相交流電源３からＳ相入力端子ＱＳを通じて入力されたＳ相交流電圧を整流する。具体的には、正極側Ｓ相整流ダイオード１０Ｓａは、Ｓ相入力端子ＱＳから第一正極出力線α１にかけて順方向接続されている。また、負極側Ｓ相整流ダイオード１０Ｓｂは、負極出力線βからＳ相入力端子ＱＳにかけて順方向接続されている。
【００３１】
整流回路１０の正極側Ｔ相整流ダイオード１０Ｔａ及び負極側Ｔ相整流ダイオード１０Ｔｂは、三相交流電源３からＴ相入力端子ＱＴを通じて入力されたＴ相交流電圧を整流する。具体的には、正極側Ｔ相整流ダイオード１０Ｔａは、Ｔ相入力端子ＱＴから第一正極出力線α１にかけて順方向接続されている。また、負極側Ｔ相整流ダイオード１０Ｔｂは、負極出力線βからＴ相入力端子ＱＴにかけて順方向接続されている。
【００３２】
（昇圧回路）
昇圧回路１１について詳しく説明する。
本実施形態において、昇圧回路１１は、「昇圧モード」で動作することができる。「昇圧モード」とは、昇圧回路１１が、三相昇圧整流ユニット１Ａの出力電圧である直流電圧Ｖｄｃとして、三相交流電源３から入力される三相の交流電圧の振幅の１倍相当の直流電圧より大きく、三相の交流電圧の振幅の２倍相当の直流電圧より小さい電圧を出力する動作のことをいう。
ここで、以下の説明において、三相の交流電圧の振幅相当の直流電圧Ｖｄｃを「一倍圧直流電圧Ｖｄｃ１」と記載し、三相の交流電圧の振幅の１倍相当の直流電圧より大きく、三相の交流電圧の振幅の２倍相当の直流電圧より小さい直流電圧Ｖｄｃを「中間電圧Ｖｍ」と記載して区別する（Ｖｄｃ１＜Ｖｍ＜２・Ｖｄｃ１）。例えば、三相交流電源３がＡＣ２００Ｖの交流電圧を出力する場合、一倍圧直流電圧Ｖｄｃ１は、２００√２Ｖとなり、中間電圧Ｖｍは、２００√２Ｖより大きく４００√２Ｖより小さくなる。
【００３３】
したがって、昇圧モードで動作することによって、昇圧回路１１は、一倍圧直流電圧Ｖｄｃ１に追加電圧Ｖａｄを加えた中間電圧Ｖｍを出力することができる。本実施形態では、追加電圧Ｖａｄは、一倍圧直流電圧Ｖｄｃ１より小さい。
【００３４】
正極側主ダイオードＤａは、整流回路１０の正極出力線αから正極側コンデンサＣａにかけて順方向に接続される。具体的には、正極側主ダイオードＤａのアノードが、第二正極出力線α２に接続され、正極側主ダイオードＤａのカソードが、正極側コンデンサＣａに接続されている。
負極側主ダイオードＤｂは、負極側コンデンサＣｂから整流回路１０の負極出力線βにかけて順方向に接続される。具体的には、負極側主ダイオードＤｂのアノードが、負極側コンデンサＣｂに接続されて、負極側主ダイオードＤｂのカソードが、負極出力線βに接続されている。
【００３５】
正極側スイッチング素子１１ａ及び負極側スイッチング素子１１ｂは、それぞれパワートランジスタである。
正極側スイッチング素子１１ａは、正極出力線α（第二正極出力線α２）と接続点Ｎとの間に接続されている。負極側スイッチング素子１１ｂは、負極出力線βと接続点Ｎとの間に接続されている。
正極側スイッチング素子１１ａ及び負極側スイッチング素子１１ｂは、昇圧回路制御部１２から出力されるスイッチング制御信号により、それぞれオン／オフ制御される。
【００３６】
本実施形態の場合、正極側スイッチング素子１１ａ及び負極側スイッチング素子１１ｂは、それぞれＩＧＢＴである。
この場合、正極側スイッチング素子１１ａのコレクタが、第二正極出力線α２に接続され、正極側スイッチング素子１１ａのエミッタが、接続点Ｎに接続されている。さらに、負極側スイッチング素子１１ｂのエミッタが、負極出力線βに接続され、負極側スイッチング素子１１ｂのコレクタが、接続点Ｎに接続されている。
昇圧回路制御部１２から正極側スイッチング素子１１ａのゲートに、スイッチング制御信号が印加されることによって、正極側スイッチング素子１１ａはオン／オフ制御される。
同様に昇圧回路制御部１２から負極側スイッチング素子１１ｂのゲートに、スイッチング制御信号が印加されることによって、負極側スイッチング素子１１ｂはオン／オフ制御される。
【００３７】
（昇圧回路制御部）
昇圧回路制御部１２について詳しく説明する。
昇圧回路制御部１２は、昇圧回路１１を制御する制御用ＩＣ（いわゆるマイコン等）である。
図２及び図３に示すように、昇圧回路制御部１２は、第一スイッチング信号発生部１２ａと、第二スイッチング信号発生部１２ｂと、切替部１２ｃと、を機能的に備える。
昇圧回路制御部１２は、第一モード又は第二モードで動作することが可能である。
昇圧回路制御部１２が、第一モードで動作するか、第二モードで動作するかは、昇圧回路制御部１２内部の指令によって設定されてもよいし、昇圧回路制御部１２外部からの指令によって設定されてもよい。
第一スイッチング信号発生部１２ａは、正極側コンデンサＣａ又は負極側コンデンサＣｂに、追加電圧Ｖａｄを充電可能な第一スイッチング制御信号ＳＧａを発生する。
第二スイッチング信号発生部１２ｂは、正極側コンデンサＣａ又は負極側コンデンサＣｂに、一倍圧直流電圧Ｖｄｃ１を充電可能な第二スイッチング制御信号ＳＧｂを発生する。
【００３８】
第一モードにおいて、昇圧回路制御部１２は、第一スイッチング制御信号ＳＧａを正極側スイッチング素子１１ａに送り、負極側コンデンサＣｂに追加電圧Ｖａｄを充電させる。
さらに、第一モードにおいて、昇圧回路制御部１２は、第二スイッチング制御信号ＳＧｂを負極側スイッチング素子１１ｂに送り、正極側コンデンサＣａに一倍圧直流電圧Ｖｄｃ１を充電させる。
【００３９】
第二モードにおいて、昇圧回路制御部１２は、第二スイッチング制御信号ＳＧｂを正極側スイッチング素子１１ａに送り、負極側コンデンサＣｂに一倍圧直流電圧Ｖｄｃ１を充電させる。
さらに、第二モードにおいて、昇圧回路制御部１２は、第一スイッチング制御信号ＳＧａを負極側スイッチング素子１１ｂに送り、正極側コンデンサＣａに追加電圧Ｖａｄを充電させる。
【００４０】
昇圧回路制御部１２は、第一モードと第二モードとを交互に切り替える。切り替えるタイミングは、昇圧回路制御部１２内部で設定されてもよいし、昇圧回路制御部１２外部から設定されてもよい。本実施形態では、昇圧回路制御部１２を起動する度に、昇圧回路制御部１２は、第一モードと第二モードとを切り替えるように構成されている。
【００４１】
本実施形態では、昇圧回路制御部１２は、正極側スイッチング素子１１ａと負極側スイッチング素子１１ｂとが交互にオンするように、第一スイッチング信号発生部１２ａから第一スイッチング制御信号ＳＧａを発生させ、第二スイッチング信号発生部１２ｂから第二スイッチング制御信号ＳＧｂを発生させる。昇圧回路制御部１２は、昇圧モードで動作させる指令として、発生した第一スイッチング制御信号ＳＧａ及び第二スイッチング制御信号ＳＧｂを昇圧回路１１に送る。
第一スイッチング制御信号ＳＧａ及び第二スイッチング制御信号ＳＧｂは、正極側スイッチング素子１１ａ及び負極側スイッチング素子１１ｂのオン／オフを制御する信号であって、具体的には、正極側スイッチング素子１１ａ、負極側スイッチング素子１１ｂの各ゲート端子に入力される信号である。
これにより、昇圧回路制御部１２は、正極側スイッチング素子１１ａと負極側スイッチング素子１１ｂとを交互にオンさせることで、三相昇圧整流ユニット１Ａを昇圧整流回路として機能させる。
この場合、三相昇圧整流ユニット１Ａは、直流電圧Ｖｄｃとして、中間電圧Ｖｍを出力する。
【００４２】
第一モードでは、昇圧回路制御部１２が、負極側コンデンサＣｂに追加電圧Ｖａｄを充電し、正極側コンデンサＣａに一倍圧直流電圧Ｖｄｃ１を充電させることによって、三相昇圧整流ユニット１Ａは中間電圧Ｖｍを出力する。
他方、第二モードでは、昇圧回路制御部１２が、負極側コンデンサＣｂに一倍圧直流電圧Ｖｄｃ１を充電し、正極側コンデンサＣａに追加電圧Ｖａｄを充電させることによって、三相昇圧整流ユニット１Ａは中間電圧Ｖｍを出力する。
【００４３】
切替部１２ｃは、第一スイッチ１２ｃａと第２スイッチｃｂと、を機能的に備える。
第一スイッチ１２ｃａには、第一スイッチング信号発生部１２ａから発生された第一スイッチング制御信号ＳＧａが入力される。
第二スイッチ１２ｃｂには、第二スイッチング信号発生部１２ｂから発生された第二スイッチング制御信号ＳＧｂが入力される。
【００４４】
第一モードでは、図２に示すように、切替部１２ｃは、第一スイッチ１２ｃａの出力を正極側スイッチング素子１１ａ側に切り替え、正極側スイッチング素子１１ａに第一スイッチング制御信号ＳＧａを出力する。さらに第一モードでは、切替部１２ｃは、第二スイッチ１２ｃｂの出力を負極側スイッチング素子１１ｂ側に切り替え、負極側スイッチング素子１１ｂに第二スイッチング制御信号ＳＧｂを出力する。
【００４５】
第二モードでは、図３に示すように、切替部１２ｃは、第一スイッチ１２ｃａの出力を負極側スイッチング素子１１ｂ側に切り替え、負極側スイッチング素子１１ｂに第一スイッチング制御信号ＳＧａを出力する。さらに第二モードでは、切替部１２ｃは、第二スイッチ１２ｃｂの出力を正極側スイッチング素子１１ａ側に切り替え、正極側スイッチング素子１１ａに第二スイッチング制御信号ＳＧｂを出力する。
【００４６】
（三相昇圧整流ユニットの動作）
三相昇圧整流ユニット１Ａの全体の動作について説明する。
上記のとおり昇圧回路制御部１２は、第一スイッチング制御信号ＳＧａ及び第二スイッチング制御信号ＳＧｂを出力し、正極側スイッチング素子１１ａと負極側スイッチング素子１１ｂとを交互にオンする。
【００４７】
図４に、第一スイッチング制御信号ＳＧａと第二スイッチング制御信号ＳＧｂとの関係を示す。横軸は時間、縦軸は電圧を示す。
本実施形態において、第一スイッチング制御信号ＳＧａ及び第二スイッチング制御信号ＳＧｂはそれぞれ、５Ｖの振幅をもつ矩形波を有する。
【００４８】
図４に示される第一スイッチング制御信号ＳＧａ（上のグラフ）は、第一スイッチング信号発生部１２ａが、正極側スイッチング素子１１ａ及び負極側スイッチング素子１１ｂのうちの一方に向けて出力する信号である。
図４に示される第二スイッチング制御信号ＳＧｂ（下のグラフ）は、第二スイッチング信号発生部１２ｂが、正極側スイッチング素子１１ａ及び負極側スイッチング素子１１ｂのうちの他方に向けて出力する信号である。
【００４９】
本実施形態では、第一スイッチング信号発生部１２ａ及び第二スイッチング信号発生部１２ｂは、周期Ｔｃ（位相３６０°）を６分割した期間（位相６０°）を各期間としている。第一スイッチング信号発生部１２ａ及び第二スイッチング信号発生部１２ｂはそれぞれ、期間Ｔ１〜Ｔ６の各期間で、正極側スイッチング素子１１ａと負極側スイッチング素子１１ｂとを交互にオンしている。各期間は、周期Ｔｃを６分割した期間に限らず、周期Ｔｃを任意の数で分割した期間であれば、どのような期間であってもよい。
【００５０】
第一スイッチング制御信号ＳＧａは、オン信号とオフ信号と交互に有する。
第二スイッチング制御信号ＳＧｂは、オン信号とオフ信号と交互に有する。
各オン信号は、正極側スイッチング素子１１ａ、負極側スイッチング素子１１ｂの各ゲートに印加され、正極側スイッチング素子１１ａ、負極側スイッチング素子１１ｂの各素子を、オンする。
各オフ信号は、正極側スイッチング素子１１ａ、負極側スイッチング素子１１ｂの各ゲートに印加され、正極側スイッチング素子１１ａ、負極側スイッチング素子１１ｂの各素子を、オフする。
【００５１】
第一スイッチング制御信号ＳＧａは、期間Ｔ１のうち、一部の期間でオン信号、残りの期間でオフ信号となっている。本実施形態では、期間Ｔ１のうち、前半５０％の期間でオン信号、後半５０％の期間でオフ信号となっている。
第一スイッチング制御信号ＳＧａは、期間Ｔ２全体にわたってオフ信号となっている。
さらに、第一スイッチング制御信号ＳＧａは、期間Ｔ３、期間Ｔ５でそれぞれ期間Ｔ１と同様な信号を有し、期間Ｔ４、期間Ｔ６でそれぞれ期間Ｔ２と同様な信号を有する。
【００５２】
第二スイッチング制御信号ＳＧｂは、期間Ｔ１全体にわたってオフ信号となっている。
第二スイッチング制御信号ＳＧｂは、期間Ｔ２全体にわたってオン信号となっている。
さらに、第一スイッチング制御信号ＳＧａは、期間Ｔ３、期間Ｔ５でそれぞれ期間Ｔ１と同様の信号、期間Ｔ４、期間Ｔ６でそれぞれ期間Ｔ２と同様な信号を有する。
【００５３】
（第一モード）
第一モードにおける三相昇圧整流ユニット１Ａの動作を説明する。
図５は、第一モードでの昇圧回路１１における電流の流れを示す。
まず、期間Ｔ１において、昇圧回路制御部１２は、第一スイッチング制御信号ＳＧａにより正極側スイッチング素子１１ａをオンすると共に、第二スイッチング制御信号ＳＧｂにより負極側スイッチング素子１１ｂをオフする。すると、図５に示すように、整流回路１０から電流Ｉ１が昇圧回路１１に流れる。電流Ｉ１は、リアクタＬ、正極側スイッチング素子１１ａ、負極側コンデンサＣｂ、負極側主ダイオードＤｂを順に流れることによって、負極側コンデンサＣｂを充電する。
このとき、負極側コンデンサＣｂは、図４に示される第一スイッチング制御信号ＳＧａのパターンのオン区間において、追加電圧Ｖａｄまで充電される。
【００５４】
期間Ｔ１における負極側コンデンサＣｂの充電が終了した後、期間Ｔ２において、昇圧回路制御部１２は、第一スイッチング制御信号ＳＧａにより正極側スイッチング素子１１ａをオフすると共に、第二スイッチング制御信号ＳＧｂにより負極側スイッチング素子１１ｂをオンする。すると、図５に示すように、整流回路１０から電流Ｉ２が昇圧回路１１に流れる。電流Ｉ２は、リアクタＬ、正極側主ダイオードＤａ、正極側コンデンサＣａ、負極側スイッチング素子１１ｂを順に流れることによって、正極側コンデンサＣａを充電する。
このとき、正極側コンデンサＣａは、図４に示される第二スイッチング制御信号ＳＧｂのパターンのオン区間において、一倍圧直流電圧Ｖｄｃ１まで充電される。
他方、負極側コンデンサＣｂは、負極側主ダイオードＤｂでブロックされているので、負極側スイッチング素子１１ｂがオンとなっても、負極側コンデンサＣｂにおいて、期間Ｔ１で充電された電荷が維持される。このため、負極側コンデンサＣｂは、追加電圧Ｖａｄを維持している。
【００５５】
期間Ｔ２における正極側コンデンサＣａの充電が終了した後、期間Ｔ３において、昇圧回路制御部１２は、再び第一スイッチング制御信号ＳＧａにより正極側スイッチング素子１１ａをオンすると共に、第二スイッチング制御信号ＳＧｂにより負極側スイッチング素子１１ｂをオフする。これにより、負極側コンデンサＣｂに再び追加電圧Ｖａｄが充電される。
他方、正極側コンデンサＣａは正極側主ダイオードＤａでブロックされているので、正極側スイッチング素子１１ａがオンとなっても、正極側コンデンサＣaにおいて、期間Ｔ２で充電された電荷が維持される。このため、正極側コンデンサＣａは、一倍圧直流電圧Ｖｄｃ１を維持している。
その後、続く期間Ｔ４、期間Ｔ５、期間Ｔ６、期間Ｔ１、期間Ｔ２・・・の各期間において、同様な動作が繰り返される。
【００５６】
したがって、第一モードでは、正極側コンデンサＣａに一倍圧直流電圧Ｖｄｃ１、負極側コンデンサＣｂに追加電圧Ｖａｄ、がそれぞれ充電される。これにより、三相昇圧整流ユニット１Ａは、直流電圧Ｖｄｃとして、中間電圧Ｖｍを出力する。
本実施形態では、第一スイッチング制御信号ＳＧａが、期間Ｔ１、期間Ｔ３、期間Ｔ５の各期間のうち、前半５０％の期間でオン、後半５０％の期間でオフ信号となっている。このため、追加電圧Ｖａｄは、一倍圧直流電圧Ｖｄｃ１の５０％相当の電圧となり、中間電圧Ｖｍは、一倍圧直流電圧Ｖｄｃ１の１．５倍相当の電圧となる。
【００５７】
（第二モード）
次に、第二モードにおける三相昇圧整流ユニット１Ａの動作を説明する。
図６は、第二モードでの昇圧回路１１における電流の流れを示す。
まず、期間Ｔ２において、昇圧回路制御部１２は、第二スイッチング制御信号ＳＧｂにより正極側スイッチング素子１１ａがオンすると共に、第一スイッチング制御信号ＳＧａにより負極側スイッチング素子１１ｂをオフする。すると、図６に示すように、整流回路１０から電流Ｉ３が昇圧回路１１に流れる。電流Ｉ３は、リアクタＬ、正極側スイッチング素子１１ａ、負極側コンデンサＣｂ、負極側主ダイオードＤｂを順に流れることによって、負極側コンデンサＣｂを充電する。
このとき、負極側コンデンサＣｂは、図４に示される第二スイッチング制御信号ＳＧｂのパターンのオン区間において、一倍圧直流電圧Ｖｄｃ１まで充電される。
【００５８】
期間Ｔ２における負極側コンデンサＣｂの充電が終了した後、期間Ｔ３において、昇圧回路制御部１２は、第二スイッチング制御信号ＳＧｂにより正極側スイッチング素子１１ａをオフすると共に、第一スイッチング制御信号ＳＧａにより負極側スイッチング素子１１ｂをオンする。すると、図６に示すように、整流回路１０から電流Ｉ４が昇圧回路１１に流れる。電流Ｉ４は、リアクタＬ、正極側主ダイオードＤａ、正極側コンデンサＣａ、負極側スイッチング素子１１ｂを順に流れることによって、正極側コンデンサＣａを充電する。
このとき、正極側コンデンサＣａは、図４に示される第一スイッチング制御信号ＳＧａのパターンのオン区間において、追加電圧Ｖａｄまで充電される。
他方、負極側コンデンサＣｂは負極側主ダイオードＤｂでブロックされているので、負極側スイッチング素子１１ｂがオンとなっても、負極側コンデンサＣｂにおいて、期間Ｔ２で充電された電荷が維持される。このため、負極側コンデンサＣｂは、一倍圧直流電圧Ｖｄｃ１を維持している。
【００５９】
期間Ｔ３における正極側コンデンサＣａの充電が終了した後、期間Ｔ４において、昇圧回路制御部１２は、再び第二スイッチング制御信号ＳＧｂにより正極側スイッチング素子１１ａをオンすると共に、第一スイッチング制御信号ＳＧａにより負極側スイッチング素子１１ｂをオフする。これにより、負極側コンデンサＣｂに再び一倍圧直流電圧Ｖｄｃ１が充電される。
他方、正極側コンデンサＣａは正極側主ダイオードＤａでブロックされているので、正極側スイッチング素子１１ａがオンとなっても、正極側コンデンサＣaにおいて、期間Ｔ３で充電された電荷が維持される。このため、正極側コンデンサＣａは、追加電圧Ｖａｄを維持している。
その後、続く期間Ｔ５、期間Ｔ６、期間Ｔ１、期間Ｔ２、期間Ｔ３・・・の各期間において、同様な動作が繰り返される。
【００６０】
したがって、第二モードでは、正極側コンデンサＣａに追加電圧Ｖａｄ、負極側コンデンサＣｂに一倍圧直流電圧Ｖｄｃ１がそれぞれ充電される。これにより、三相昇圧整流ユニット１Ａは、直流電圧Ｖｄｃとして、中間電圧Ｖｍを出力する。
この場合も第一モードと同様に、第一スイッチング制御信号ＳＧａが、期間Ｔ１、期間Ｔ３、期間Ｔ５の各期間のうち、前半５０％の期間でオン、後半５０％の期間でオフ信号となっているため、中間電圧Ｖｍは、一倍圧直流電圧Ｖｄｃ１の１．５倍相当の電圧となる。
【００６１】
（本実施形態の作用及び効果）
本実施形態の三相昇圧整流ユニット１Ａは、第一モードにおいて、正極側スイッチング素子１１ａ及び負極側スイッチング素子１１ｂをスイッチングさせて、正極側コンデンサＣａに一倍圧直流電圧Ｖｄｃ１、負極側コンデンサＣｂに追加電圧Ｖａｄをそれぞれ充電し、中間電圧Ｖｍを出力する。
また、本実施形態の三相昇圧整流ユニット１Ａは、第二モードにおいて、正極側スイッチング素子１１ａ及び負極側スイッチング素子１１ｂをスイッチングさせて、正極側コンデンサＣａに追加電圧Ｖａｄ、負極側コンデンサＣｂに一倍圧直流電圧Ｖｄｃ１をそれぞれ充電し、中間電圧Ｖｍを出力する。
さらに、本実施形態の三相昇圧整流ユニット１Ａは、第一モードと第二モードとを交互に切り替え、中間電圧Ｖｍを出力する。
【００６２】
通常、半導体素子やコンデンサの寿命は、流す電流が大きいほど短くなる。
もし、第一モードと第二モードとを切り替えないで、三相昇圧整流ユニット１Ａが第一モード及び第二モードのうち、一方のモードだけで中間電圧Ｖｍを出力し続けると、正極側の各素子に流れる電流と、負極側の各素子に流れる電流とがバランスされなくなる。その場合、三相昇圧整流ユニット１Ａのうちの各素子のうち、他極側に比べて電流が多く流れる側の各素子の寿命が短くなってしまう。
【００６３】
これに対し、本実施形態の三相昇圧整流ユニット１Ａは、第一モードと第二モードとを交互に切り替えるだけで、中間電圧Ｖｍを出力し続けても、正極側の各素子に流れる電流と、負極側の各素子に流れる電流とがバランスされる。
したがって、簡単な制御で三相昇圧整流ユニット１Ａの長寿命化が可能である。
【００６４】
さらに本実施形態では、三相昇圧整流ユニット１Ａは、昇圧回路制御部１２を起動する度に第一モードと第二モードとを切り替えている。すなわち、三相昇圧整流ユニット１Ａは、昇圧回路制御部１２の起動をトリガに、第一モードと第二モードとを切り替えている。
したがって、新たに切り替えのためのトリガ信号を発生させる必要がなく、より簡単な制御で三相昇圧整流ユニット１Ａの長寿命化が可能である。
【００６５】
さらに本実施形態では、切替部１２ｃが、正極側スイッチング素子１１ａへの出力と、負極側スイッチング素子１１ｂへの出力とを切り替えることによって、第一モードと第二モードとを切り替えている。このため、昇圧回路制御部１２は、第一スイッチング信号発生部１２ａから発生するスイッチング制御信号を第一スイッチング制御信号ＳＧａに固定し、第二スイッチング信号発生部１２ｂから発生するスイッチング制御信号を第二スイッチング制御信号ＳＧｂに固定することができる。このため、第一スイッチング信号発生部１２ａ及び第二スイッチング信号発生部１２ｂの制御を簡単である。
したがって、より簡単な制御で三相昇圧整流ユニット１Ａの長寿命化が可能である。
【００６６】
＜三相昇圧整流ユニットの制御方法＞
上記実施形態の三相昇圧整流ユニット１Ａの制御方法について、図７を参照して説明する。
【００６７】
まず、三相昇圧整流ユニット１Ａは、昇圧回路制御部１２を起動する（ステップＳＴ１０）。このとき昇圧回路制御部１２は、内部の制御により各スイッチング制御信号の出力を待機している。
【００６８】
ＳＴ１０に続いて、昇圧回路制御部１２は、昇圧回路１１への出力態勢を第一モードに設定する（ステップＳＴ２０）。三相昇圧整流ユニット１Ａの場合、切替部１２ｃは、第一スイッチ１２ｃａの出力を正極側スイッチング素子１１ａ側に切り替え、第二スイッチ１２ｃｂの出力を負極側スイッチング素子１１ｂ側に切り替える。
【００６９】
ＳＴ２０に続いて、第一モードを実施する（ステップＳＴ３０）。三相昇圧整流ユニット１Ａの場合、第一モードに設定された状態で、第一スイッチング制御信号ＳＧａ及び第二スイッチング制御信号ＳＧｂを昇圧回路１１に出力する。これにより、昇圧回路制御部１２は、第一スイッチング制御信号ＳＧａを正極側スイッチング素子１１ａに送り、負極側コンデンサＣｂに追加電圧Ｖａｄを充電する。さらに、昇圧回路制御部１２は、第二スイッチング制御信号ＳＧｂを負極側スイッチング素子１１ｂに送り、正極側コンデンサＣａに一倍圧直流電圧Ｖｄｃ１を充電する。したがって、三相昇圧整流ユニット１Ａは、中間電圧Ｖｍに昇圧して出力する。
【００７０】
ＳＴ３０に続いて、昇圧回路制御部１２は、内部の制御により各スイッチング制御信号の出力を停止する（ステップＳＴ４０）。このとき、三相交流電源３からの三相の交流電圧の入力が停止され、三相昇圧整流ユニット１Ａからの出力が停止してもよい。
【００７１】
ＳＴ４０に続いて、再び三相昇圧整流ユニット１Ａは、昇圧回路制御部１２を起動する（ステップＳＴ５０）。このとき昇圧回路制御部１２は、内部の制御により各スイッチング制御信号の出力を待機している。
【００７２】
ＳＴ５０に続いて、昇圧回路制御部１２は、昇圧回路１１への出力態勢を第二モードに設定する（ステップＳＴ６０）。三相昇圧整流ユニット１Ａの場合、切替部１２ｃは、第一スイッチ１２ｃａの出力を負極側スイッチング素子１１ｂ側に切り替え、第二スイッチ１２ｃｂの出力を正極側スイッチング素子１１ａ側に切り替える。
【００７３】
ＳＴ６０に続いて、第二モードを実施する（ステップＳＴ７０）。三相昇圧整流ユニット１Ａの場合、第二モードに設定された状態で、第一スイッチング制御信号ＳＧａ及び第二スイッチング制御信号ＳＧｂを昇圧回路１１に出力する。これにより、昇圧回路制御部１２は、第二スイッチング制御信号ＳＧｂを正極側スイッチング素子１１ａに送り、負極側コンデンサＣｂに一倍圧直流電圧Ｖｄｃ１を充電する。さらに、昇圧回路制御部１２は、第一スイッチング制御信号ＳＧａを負極側スイッチング素子１１ｂに送り、正極側コンデンサＣａに追加電圧Ｖａｄを充電する。したがって、三相昇圧整流ユニット１Ａは、中間電圧Ｖｍに昇圧して出力する。
【００７４】
ＳＴ７０に続いて、昇圧回路制御部１２は、内部の制御により各スイッチング制御信号の出力を停止する（ステップＳＴ８０）。このとき、三相交流電源３からの三相の交流電圧の入力を停止し、三相昇圧整流ユニット１Ａからの出力が停止してもよい。
【００７５】
ＳＴ８０に続いて、ＳＴ１０に戻って、ＳＴ１０が実施され、ＳＴ１０に続くステップが繰り返される。
【００７６】
＜変形例＞
上記実施形態では、切替部１２ｃが、正極側スイッチング素子１１ａへの出力と、負極側スイッチング素子１１ｂへの出力とを切り替えることによって、第一モードと第二モードとを切り替えている。変形例として、第一スイッチング信号発生部１２ａ及び第二スイッチング信号発生部１２ｂが、それぞれ第一スイッチング制御信号ＳＧａと第二スイッチング制御信号ＳＧｂとを切り替えて出力してもよい。
【００７７】
上記実施形態では、各オン信号は、５Ｖの矩形波であるが、正極側スイッチング素子１１ａ、負極側スイッチング素子１１ｂの各素子を、オンできれば、どのような信号であってもよい。
【００７８】
上記実施形態では、期間Ｔ１、Ｔ３、Ｔ５の各期間において、第一スイッチング制御信号ＳＧａは、前半５０％の期間でオン信号、後半５０％の期間でオフ信号となっているが、各期間内のうち、一部の期間がオン信号、残りの期間がオフ信号であれば、オン信号の期間とオフ信号の期間との配分は、どのような配分であってもよい。
変形例として、期間Ｔ１、Ｔ３、Ｔ５の各期間において、第一スイッチング制御信号ＳＧａは、各期間内の前半５０％未満（又は前半５０％以上）の期間でオン信号、残りの期間でオフ信号となっていてもよい。
他の変形例として、期間Ｔ１、Ｔ３、Ｔ５の各期間において、第一スイッチング制御信号ＳＧａは、各期間内の中央（又は後半）の期間でオン信号、残りの期間でオフ信号となっていてもよい。
【００７９】
本実施形態では、追加電圧Ｖａｄは、一倍圧直流電圧Ｖｄｃ１より小さいが、変形例として、追加電圧Ｖａｄは、一倍圧直流電圧Ｖｄｃ１より大きくてもよい。他の変形例として、正極側の各素子に流れる電流と、負極側の各素子に流れる電流とが異なるのであれば、追加電圧Ｖａｄは、一倍圧直流電圧Ｖｄｃ１と同じ電圧であってもよい。
【００８０】
上記実施形態では、昇圧回路制御部１２の起動（ＳＴ１０、ＳＴ５０）に続いて、昇圧回路制御部１２は、各モードに設定している。変形例として、昇圧回路制御部１２の停止（ＳＴ４０、ＳＴ８０）時に、昇圧回路制御部１２は、各モードに設定してもよい。
【００８１】
上記実施形態では、ＳＴ１０、ＳＴ４０、ＳＴ５０及びＳＴ８０を、三相昇圧整流ユニット１Ａが実施しているが、変形例として、いずれかのステップを操作者が実施してもよいし、三相昇圧整流ユニット１Ａ外部の装置が実施してもよい。
【００８２】
上記実施形態では、切替部１２ｃを昇圧回路制御部１２内に設けているが、変形例として、昇圧回路制御部１２と昇圧回路１１との間の配線に別のユニットとして、切替部が設けられてもよい。
さらにこの場合、他の装置が切替部１２ｃを制御してもよいし、操作者が切替部１２ｃを制御してもよい。すなわち、三相昇圧整流ユニット１Ａの制御方法において、ＳＴ２０及びＳＴ６０を、他の装置が実施してもよいし、操作者が実施してもよい。
【００８３】
上記実施形態では、スイッチング素子としてＩＧＢＴを用いているが、変形例として、バイポーラトランジスタ、パワーＭＯＳＦＥＴ等を用いてもよい。さらには、ＳｉＣやＧａＮ等を用いたスイッチング素子を用いてもよい。
【００８４】
上述の実施形態においては、昇圧回路制御部の各種機能を実現するためのプログラムを、コンピュータ読み取り可能な記録媒体に記録して、この記録媒体に記録されたプログラムをコンピュータシステムに読み込ませ、実行することにより各種処理を行うものとしてもよい。ここで、コンピュータシステムのＣＰＵの各種処理の過程は、プログラムの形式でコンピュータ読み取り可能な記録媒体に記憶されており、このプログラムをコンピュータが読み出して実行することによって上記各種処理が行われる。また、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００８５】
以上、本発明に係る実施形態を説明したが、この実施形態は、例として提示したものであり、発明の範囲を限定することは意図していない。この実施形態は、その他の様々な形態で実施されることが可能であり、発明の要旨を逸脱しない範囲で種々の省略、置き換え、変更を行うことができる。この実施形態やその変形は、発明の範囲や要旨に含まれると同様に、特許請求の範囲に記載された発明とその均等の範囲に含まれるものとする。
【符号の説明】
【００８６】
１：インバータ装置
１Ａ：三相昇圧整流ユニット
３：三相交流電源
４：モータ
１０：整流回路
１０Ｒａ：正極側Ｒ相整流ダイオード
１０Ｒｂ：負極側Ｒ相整流ダイオード
１０Ｓａ：正極側Ｓ相整流ダイオード
１０Ｓｂ：負極側Ｓ相整流ダイオード
１０Ｔａ：正極側Ｔ相整流ダイオード
１０Ｔｂ：負極側Ｔ相整流ダイオード
１１：昇圧回路
１１ａ：正極側スイッチング素子
１１ｂ：負極側スイッチング素子
１２：昇圧回路制御部
１２ａ：第一スイッチング信号発生部
１２ｂ：第二スイッチング信号発生部
１２ｃ：切替部
１２ｃａ：第一スイッチ
１２ｃｂ：第二スイッチ
２０：インバータ回路
２１：インバータ回路制御部
２２：モータ電流検出部
９０：空気調和機（空調機）
Ｃａ：正極側コンデンサ
Ｃｂ：負極側コンデンサ
Ｄａ：正極側主ダイオード
Ｄｂ：負極側主ダイオード
Ｌ：リアクタ
Ｎ：接続点
Ｑａ：正極側出力端子
Ｑｂ：負極側出力端子
ＱＲ：Ｒ相入力端子
ＱＳ：Ｓ相入力端子
ＱＴ：Ｔ相入力端子
α：正極出力線
α１：第一正極出力線
α２：第二正極出力線
β：負極出力線
【図１】
2019122088.tif 000003
【図２】
2019122088.tif 000004
【図３】
2019122088.tif 000005
【図４】
2019122088.tif 000006
【図５】
2019122088.tif 000007
【図６】
2019122088.tif 000008
【図７】
2019122088.tif 000009